(57)【要約】【課題】手摺りに様々な機能を備えさせ、且つこの手摺りの機能部分の取り替えやメンテナンスを容易に行わせ得るようにした機能付加手摺りを提供する。【解決手段】壁面に固定した２以上のブラケット１に握り棒２を架設してなる手摺りである。ブラケット１より外方に位置させた握り棒２の長手方向の端部にユニット取付部３を設ける。照明機器や通信機器などの各種機能を有する機能ユニット４を上記ユニット取付部３に着脱自在にする。【選択図】　　　　図１
2004003206.tif 000002
【特許請求の範囲】
【請求項１】
壁面に固定した２以上のブラケットに握り棒を架設してなる手摺りであって、ブラケットより外方に位置させた握り棒の長手方向の端部にユニット取付部を設け、照明機器や通信機器などの各種機能を有する機能ユニットを上記ユニット取付部に着脱自在にしたことを特徴とする機能付加手摺り。
【請求項２】
機能ユニットのハウジングに形成した挿入孔から握り棒のユニット取付部を挿入し、機能ユニットをユニット取付部に装着したことを特徴とする請求項１に記載の機能付加手摺り。
【請求項３】
握り棒のユニット取付部を握り棒の外面から内部に切り欠いて形成し、この握り棒の切除部分であるユニット取付部に機能ユニットを装着し、機能ユニットの外面と握り棒の外面とを略面一にしたことを特徴とする請求項２に記載の機能付加手摺り。
【請求項４】
機能ユニットの握り棒への固定をビス等の固着具を介して行い、この固着具をユニット取付部以外の握り棒の部位に打入したことを特徴とする請求項３に記載の機能付加手摺り。
【請求項５】
壁面からブラケットを突設すると共にこのブラケットの突出先端に握り棒を架設することで形成される握り棒と壁面との隙間に、端部を屈曲させてＬ字状にした機能ユニットの屈曲部を位置させたことを特徴とする請求項１に記載の機能付加手摺り。
【発明の詳細な説明】
【０００１】
【発明の属する技術分野】
本発明は、手摺りに各種機能を備えた機能ユニットを取り付けてなる機能付加手摺りに関する発明である。
【０００２】
【従来の技術】
近年、介護意識の高まりから、建物の階段や廊下、浴室、便所などに手摺りを取り付けることが行われているが、この手摺りに更に機能を持たせるようにすると、手摺り以上の作用が得られ好ましい。手摺りに機能を持たせた例としては、たとえば特開２００１−１０７５３１（図１１，１２）にある手摺りが挙げられる。この手摺りは、暗闇の中でも手摺りの存在を明確に示し得るように、手摺りに照明機能を備えたものである。具体的に、壁面Ｈに固定した２以上のブラケット１に握り棒２を架設してなる手摺りに、握り棒２の長さ方向に亘って握り棒２の外面から内部に切り欠いた切欠部２０を設けると共にこの切欠部２０に蛍光灯２１を配置したり（図１１）、握り棒２の内部に長さ方向に亘る中空部２２を形成すると共にこの中空部２２に蛍光灯２１を配置することで（図１２）、手摺りに照明機能を備えさせている。
【０００３】
このように機能部分を備えた手摺りにあっては、機能部分が故障したり消耗する恐れを有するようになるが、上記例の手摺りでは、ブラケット１のリング部１ａを挿通して握り棒２が固定されると共に、この握り棒２の長手方向に亘って蛍光灯２１が設けられており、すなわち蛍光灯２１はブラケット１のリング部１ａを挿通した状態で握り棒２に備えられているから、蛍光灯２１の取り替えやメンテナンスなどはリング部１ａが邪魔になって行いにくいといった問題を有していた。また、手摺りは設置させる場所により求められる機能も異なるのであるが、上記例の手摺りでは蛍光灯２１を握り棒２に据え付けてあるので、手摺りの廊下や階段以外の用途への仕様変更が容易に行えないといった問題も有していた。
【０００４】
【発明が解決しようとする課題】
本発明は上記の点に鑑みてなされたものであり、手摺りに様々な機能を備えさせ、且つこの手摺りの機能部分の取り替えやメンテナンスを容易に行わせ得るようにした機能付加手摺りを提供することを課題とするものである。
【０００５】
【課題を解決するための手段】
上記課題を解決するために本発明に係る機能付加手摺りは、壁面Ｈに固定した２以上のブラケット１に握り棒２を架設してなる手摺りであって、ブラケット１より外方に位置させた握り棒２の長手方向の端部にユニット取付部３を設け、照明機器や通信機器などの各種機能を有する機能ユニット４を上記ユニット取付部３に着脱自在にしたことを特徴とする。これによると、機能ユニット４を装着する握り棒２のユニット取付部３が、ブラケット１より外方に位置させた握り棒２の長手方向の端部に設けられているので、ユニット取付部３に装着した機能ユニット４を握り棒２から取り外すには、握り棒２の長手方向の外方に機能ユニット４を引っ張るようにすればよく、ブラケット１のリング部１ａに留意しつつ取り外さねばならなかった従来技術に比べて、機能ユニット４の握り棒２からの取外しの容易化が図られており、したがって手摺りの機能部分の取り替えやメンテナンスを容易に行わせることができる。
【０００６】
また、機能ユニット４のハウジングに形成した挿入孔から握り棒２のユニット取付部３を挿入し、機能ユニット４をユニット取付部３に装着したことも好ましい。これによると、内部に握り棒２が挿入された機能ユニット４に体重をかけても、機能ユニット４内部の握り棒２に荷重を支持させることができ、握り棒２に装着した機能ユニット４の強度の向上を図ることができる。
【０００７】
また、握り棒２のユニット取付部３を握り棒２の外面から内部に切り欠いて形成し、この握り棒２の切除部分であるユニット取付部３に機能ユニット４を装着し、機能ユニット４の外面と握り棒２の外面とを略面一にしたことも好ましい。これによると、ユニット取付部３の握り棒２を切除してできた空間に機能ユニット４の内装物を収納したことで、機能ユニット４の外面と握り棒２の外面とを略面一にできるのであり、したがって、手摺りに衣服を引っ掛ける恐れがあると共に握り棒２をつたわせる手に違和感を与える段差を無くしており、手摺りを持った歩行者や手摺り近傍を歩く歩行者にスムーズな歩行を行わせることができる。
【０００８】
また、機能ユニット４の握り棒２への固定をビス等の固着具５を介して行い、この固着具５をユニット取付部３以外の握り棒２の部位に打入したことも好ましい。これによると、機能ユニット４の握り棒２への装着が、断面の広い部位の握り棒２への固定で行わせることができ、取付強度を高めて機能ユニット４を握り棒２に取り付けることができる。
【０００９】
また、壁面Ｈからブラケット１を突設すると共にこのブラケット１の突出先端に握り棒２を架設することで形成される握り棒２と壁面Ｈとの隙間Ｓに、端部を屈曲させてＬ字状にした機能ユニット４の屈曲部９を位置させたことも好ましい。これによると、略Ｌ字状に形成した機能ユニット４の屈曲部９で握り棒２の長手方向の端部と壁面Ｈとの隙間Ｓを埋めるようにしたことで、手摺り近傍を通行する歩行者の衣服等を握り棒２に引っ掛けてしまう恐れを無くすることができ、更に、握り棒２の長手方向の端部と壁面Ｈとの隙間Ｓを埋めるように機能ユニット４に屈曲部９を設けて略Ｌ字状に形成したことは、機能ユニット４に内装物の収納スペースを増やすことになり、電池７などの長い長さを有する収納物を無理なく機能ユニット４内に収納させることができるようになる。
【００１０】
【発明の実施の形態】
以下、本発明を添付図面に示す実施形態に基づいて説明する。
【００１１】
図１に本発明の実施の形態の例を示す。従来技術の項でも述べたが、近年の介護意識の高まりにより、建物の階段や廊下、浴室、便所などに手摺りを取り付けることが盛んに行われているが、この手摺りに更に機能を持たせるようにすると手摺り以上の作用が得られ好ましい。例えば、廊下や階段では、図７のような暗闇の中でも手摺りの存在を明らかにする照明器具１１を備えた照明ユニット４ａや、図８のような通行人に注意を促す音声等を発するスピーカ１２を備えた音声再生ユニット４ｂなどを、手摺りに備えることが好ましく、また、浴室や便所では、図９のような建物の他の場所にいる人と会話を行える通信ユニット４ｃなどを、手摺りに備えることが好ましい。
【００１２】
なお、この通信ユニット４ｃは親機４ｃ１と子機４ｃ２とで構成され、手摺りに子機４ｃ２を設けると共に親機４ｃ１を手摺りの配置位置と異なる部屋に設け、子機４ｃ２と親機４ｃ１との間でワイヤレスで送受信可能にしたものである。例えば、親機４ｃ１としては、子機４ｃ２に備えた呼出し釦１８が押されたときに、子機４ｃ２の発する呼出し信号を受信して警告音を発するようにしたもの［図１０（ａ）］や、子機４ｃ２に備えた呼出し釦１８が押されたときに、子機４ｃ２の発する呼出し信号を受信して子機４ｃ２と親機４ｃ１との間で通話を可能としたもの［図１０（ｂ）］が好ましい。ここで、図中１３は呼出し信号の受信を表示する着信ランプ、１４は呼出し信号の受信を警告するスピーカ、１５は子機４ｃ２が常時発する確認信号が着信しないときに表示する受信不能ランプであり、１６は子機４ｃ２との通信回線を開いて会話を可能にさせる会話釦である。
【００１３】
本発明の機能付加手摺りは、照明機器や通信機器などの各種機能を有する機能ユニット４を手摺りに容易に着脱できるよう、ブラケット１より外方に位置させた握り棒２の長手方向の端部にユニット取付部３を設け、このユニット取付部３に各種機能ユニット４を着脱自在に取り付けたものである。詳述すると、手摺りは２以上のブラケット１を直線状に配して壁面Ｈに固定し（図６参照）、各ブラケット１の突出先端に設けたリング部１ａに握り棒２を挿入固定することで、各ブラケット１に握り棒２が架設されて構成されている。ここで、握り棒２の長手方向の端部はブラケット１より外方に位置されており、この握り棒２の長手方向の端部にユニット取付部３を設けている。そして、このユニット取付部３に各種機能を有した機能ユニット４を取り付けるのである。
【００１４】
機能ユニット４は、外殻を形成するハウジングの内部に、各種機能を作用させる機器や、この機器を制御する回路部６や、機器及び回路部６の電源となる電池７が内装されて構成されている。このハウジングは、握り棒２の外径より大きな外径を有した筒状部８と、この筒状部８から略直角に屈曲した屈曲部９とから成り、全体視で略Ｌ字形の筒状体に形成されている。この筒状部８の屈曲部９と反対側の端部には挿入孔が設けられ、握り棒２のユニット取付部３が挿入孔を通って筒状部８内に挿入されるようになっている。なお、機能ユニット４の内装物である機器や回路部６は、筒状部８内に収納された握り棒２のユニット取付部３と機能ユニット４のハウジング内面との間に内装され、電池７は屈曲部９に内装されている。この屈曲部９は、握り棒２と壁面Ｈとの間にできる隙間Ｓを埋めて、通行人の衣服などが手摺りの端部に引っ掛からないようにさせる部位であるが（図６参照）、その内部は電池７などの長い長さを有する収納物の収納部位として利用されている。なお、この機能ユニット４は握り棒２のユニット取付部３にビスや木ネジ等の固着具５で固定される（図２参照）。
【００１５】
上述したように本例の機能付加手摺りは、ブラケット１より外方に位置させた握り棒２の長手方向の端部をユニット取付部３とし、このユニット取付部３を挿通孔１０から機能ユニット４の内部に挿入し、ユニット取付部３に機能ユニット４を装着して構成されているので、機能ユニット４に体重をかけても機能ユニット４内部に挿入された握り棒２によって荷重を支持させることができ、機能ユニット４の強度の向上が図られているのである。また、機能ユニット４を握り棒２から取り外すには、握り棒２のユニット取付部３を挿通孔１０から機能ユニット４の外方に取り出すように、握り棒２の端部方向に機能ユニット４を引っ張るようにすればよいことから、ブラケット１のリング部１ａに留意しつつ取り外さねばならなかった従来技術に比べて、容易に機能ユニット４の握り棒２からの取外しができるようになっている。
【００１６】
また、図２及び図３には実施の形態の他例を示す。この例は、握り棒２に装着した機能ユニット４が、少なくとも握り棒２の前面側で、握り棒２の外面から前方に突出しないようにした例である。具体的には、握り棒２のユニット取付部３を握り棒２の外面から内部に切り欠いて形成し、この握り棒２の切除部分であるユニット取付部３に機能ユニット４を装着し、握り棒２を切除してできた空間に機能ユニット４の内装物を収納し、機能ユニット４のハウジングの外面と握り棒２の外面とを略面一の状態にしたものである。このように機能ユニット４のハウジングの外面と握り棒２の外面とを略面一の状態にしたことで、握り棒２をつたわせる手に違和感を与えないようにできて、手摺りを持った歩行者にスムーズな歩行を行わせることを可能とし、また衣服等を引っ掛けるおそれのある段差も無くしているので、手摺り近傍の歩行者の通行に支障をきたさないようにされている。なお、この例で握り棒２に機能ユニット４を装着するにあたっては、握り棒２のユニット取付部３に形成した前後に貫通せる複数の貫通孔１７に機能ユニット４を挿通した固着具５を締結させて行わせている。本例の固着具５は木ネジで構成している。
【００１７】
また、図４乃至図６には実施の形態の更に他例を示す。この例は、先の実施の形態の他例に比べ、機能ユニット４の握り棒２への取付強度を高めた例である。具体的には、少なくとも一の貫通孔１７を握り棒２の切除部分でないユニット取付部３以外の部位に形成し、この貫通孔１７に機能ユニット４を挿通した固着具５を打入したものである。握り棒２の断面を小さくするように切除したユニット取付部３では、握り棒２を切除した分強度が弱くなっているのであるが、本例では、このユニット取付部３以外の部位でユニット取付部３に装着した機能ユニット４を固定させているので、ユニット取付部３で機能ユニット４を固定した先の実施の形態の他例に比べ、取付強度を高めて機能ユニット４が握り棒２に取り付けられているのである。
【００１８】
【発明の効果】
上記のように本発明の請求項１記載の機能付加手摺りにあっては、壁面に固定した２以上のブラケットに握り棒を架設してなる手摺りであって、ブラケットより外方に位置させた握り棒の長手方向の端部にユニット取付部を設け、照明機器や通信機器などの各種機能を有する機能ユニットを上記ユニット取付部に着脱自在にしたので、ブラケットより外方に位置するユニット取付部に装着した機能ユニットを握り棒から取り外すには、握り棒の長手方向の外方に機能ユニットを引っ張るようにすればよく、ブラケットのリング部に留意しつつ取り外さねばならなかった従来技術に比べて、機能ユニットの握り棒からの取外しの容易化が図られており、したがって手摺りの機能部分の取り替えやメンテナンスを容易に行わせることができる。
【００１９】
また、請求項２記載の機能付加手摺りにあっては、請求項１の効果に加えて、機能ユニットのハウジングに形成した挿入孔から握り棒のユニット取付部を挿入し、機能ユニットをユニット取付部に装着したので、機能ユニットに体重をかけても、機能ユニット内部の握り棒に荷重を支持させることができ、握り棒に装着した機能ユニットの強度の向上を図ることができる。
【００２０】
また、請求項３記載の機能付加手摺りにあっては、請求項２の効果に加えて、握り棒のユニット取付部を握り棒の外面から内部に切り欠いて形成し、この握り棒の切除部分であるユニット取付部に機能ユニットを装着し、機能ユニットの外面と握り棒の外面とを略面一にしたので、手摺りに衣服を引っ掛ける恐れがあると共に握り棒をつたわせる手に違和感を与える段差を無くすることができ、手摺りを持った歩行者や手摺り近傍を歩く歩行者にスムーズな歩行を行わせることができる。
【００２１】
また、請求項４記載の機能付加手摺りにあっては、請求項３の効果に加えて、機能ユニットの握り棒への固定をビス等の固着具を介して行い、この固着具をユニット取付部以外の握り棒の部位に打入したので、機能ユニットの握り棒への装着が、断面の広い部位の握り棒への固定で行わせることができ、取付強度を高めて機能ユニットを握り棒に取り付けることができる。
【００２２】
また、請求項５記載の機能付加手摺りにあっては、請求項１の効果に加えて、壁面からブラケットを突設すると共にこのブラケットの突出先端に握り棒を架設することで形成される握り棒と壁面との隙間に、端部を屈曲させてＬ字状にした機能ユニットの屈曲部を位置させたので、握り棒の長手方向の端部に歩行者の衣服が引っ掛かってしまう恐れを無くすることができ、また略Ｌ字状に形成した機能ユニットは結果的に内装物の収納スペースを増やすことになり、電池などの長い長さを有する収納物をも無理なく機能ユニット内に収納させることができるようになる。
【図面の簡単な説明】
【図１】本発明の実施の形態の例を示す上面断面図である。
【図２】本発明の実施の形態の他例を示す上面断面図である。
【図３】同上の握り棒を示す斜視図である。
【図４】本発明の実施の形態の更に他例を示す上面断面図である。
【図５】同上の握り棒を示す斜視図である。
【図６】同上の手摺りを壁面に固定した状態を示す上面断面図である。
【図７】同上の機能手摺りの用途を説明する説明図である。
【図８】同上の機能手摺りの他の用途を説明する説明図である。
【図９】同上の機能手摺りの更に他の用途を説明する説明図である。
【図１０】（ａ）（ｂ）は同上の通信機器の親機を示す説明図である。
【図１１】従来技術の例を示すものであり（ａ）は手摺りの斜視図であり、（ｂ）は手摺りの縦断面図である。
【図１２】同上の他例を示す手摺りの縦断面図である。
【符号の説明】
１　ブラケット
２　握り棒
３　ユニット取付部
４　機能ユニット
５　固着具
６　回路部
７　電池
８　筒状部
９　屈曲部
１０　挿通孔
【図１】
2004003206.tif 000003
【図２】
2004003206.tif 000004
【図３】
2004003206.tif 000005
【図４】
2004003206.tif 000006
【図５】
2004003206.tif 000007
【図６】
2004003206.tif 000008
【図７】
2004003206.tif 000009
【図８】
2004003206.tif 000010
【図９】
2004003206.tif 000011
【図１０】
2004003206.tif 000012
【図１１】
2004003206.tif 000013
【図１２】
2004003206.tif 000014